(57)【要約】【課題】本発明は多機能ホワイトボードを開示した。【解決手段】円盤と台座とを含み、前記台座の頂端と前記円盤の底端との間には回転柱が回転できるように設置され、前記円盤の頂端には二組の前後対称的に設置されたスライド柱が設置され、二組の前記スライド柱の頂端にはいずれも曲がりロッドが固定的に設置され、前記曲がりロッドの頂部は環状であり、二組の前記曲がりロッドの間には固定ロッドが固定的に設置され、二組の前記スライド柱の中部のところには前後に伸びることができるように設置された支持軸が固定的に設置され、本発明の多機能ホワイトボードは使用されない時に収納でき、空間を省き、同時に新聞を置ける回転盤機構を加えて設置されたため、本発明の機能がさらに多様的になり、実用性を増加し、そして使用が完成した後に自動的にホワイトボードを拭くことができ、普及に便利を与える。【選択図】図１
2020183097.tif 000002
【特許請求の範囲】
【請求項１】
正面視で、円盤と台座とを含み、前記台座の頂端と前記円盤の底端との間には回転柱が回転できるように設置され、前記円盤の頂端には二組の前後対称的に設置されたスライド柱が設置され、二組の前記スライド柱の頂端にはいずれも曲がりロッドが固定的に設置され、前記曲がりロッドの頂部は環状であり、二組の前記曲がりロッドの間には固定ロッドが固定的に設置され、二組の前記スライド柱の中部のところには前後に伸びることができるように設置された支持軸が固定的に設置され、前記支持軸の外周には新聞を置くことができる回転盤機構が固定的に設置され、前記スライド柱の右側の前記円盤の頂部端面には第一固定ブロックが固定的に設置され、前記第一固定ブロックの頂部端面には抜き溝が設置され、前記抜き溝の左右両側はいずれも開口しており、前記抜き溝の頂部にはホワイトボード機構が設置され、前記円盤の中には動力チャンバが設置され、前記動力チャンバの中には前記回転盤機構の上昇と下降とを制御できる昇降機構が設置され、前記回転盤機構は前記支持軸の外周に回転できるように設置された二組の回転盤を含み、二組の前記回転盤が前後対称的に設置され、また二組の前記回転盤の間には六組のアルミニウムパイプが固定的に設置されたことを特徴とする多機能ホワイトボード。
【請求項２】
前記昇降機構は前記動力チャンバの中に回転できるように設置された動力軸を含み、前記動力軸の前側末端が前記動力チャンバの前側端壁の中に固定的に嵌められた第一モーターと動力が伝達できるように連結され、前記動力軸の外周には前後対称的に設置された二組の動力べベルギヤが固定的に設置され、二組の前記スライド柱の中にはいずれも第一スクリュー軸がねじ山によって連結され、前記第一スクリュー軸が上下に伸びることができるように設置され、前記第一スクリュー軸の頂部が前記スライド柱の頂端を貫通しており、且つ上方へ一部分伸びており、前記第一スクリュー軸が前記動力チャンバの頂壁と回転できるように連結され、前記第一スクリュー軸の底端にはいずれも前記動力チャンバの中に位置している従動べベルギヤが固定的に設置され、前記従動べベルギヤと前記動力べベルギヤとが噛み合うように設置されたことを特徴とする請求項１に記載の多機能ホワイトボード。
【請求項３】
前記ホワイトボード機構は前記抜き溝の前後端壁の間に回転できるように設置された横軸を含み、前記横軸の外周にはホワイトボードが固定的に設置され、前記ホワイトボードの右側端面には長固定板が固定的に設置され、前記長固定板には絵筆などの雑物を置くことができ、前記ホワイトボードの中にはスライドチャンバが設置され、前記ホワイトボードの頂端には第二固定ブロックが固定的に設置され、前記第二固定ブロックが前記スライドチャンバの頂部に位置しており、前記第二固定ブロックの中には第二モーターが固定的に嵌められ、前記第二モーターが時計回り方向に回転できるだけではなく、反時計回り方向に回転することもでき、前記第二モーターの底端には第二スクリュー軸が動力が伝達できるように連結され、前記第二スクリュー軸が下方へ前記スライドチャンバを貫通しており、且つ前記スライドチャンバの底壁と回転できるように連結され、前記スライドチャンバの中には第一ねじ山ブロックがスライドできるように設置され、前記第一ねじ山ブロックと前記第二スクリュー軸とがねじ山によって連結され、前記第一ねじ山ブロックの左右両側端面にはいずれも固定軸が固定的に設置され、前記固定軸の外周には湿布が包まれており、前記固定軸が前記ホワイトボードと当接していることを特徴とする請求項１に記載の多機能ホワイトボード。
【請求項４】
前記ホワイトボードの前後両側端面にはいずれもヒンジピンが固定的に設置され、前記ヒンジピンの外周には軸スリーブが回転できるように設置され、前記第一固定ブロックの左側端面には第三モーターが固定的に設置され、前記第三モーターが時計回り方向に回転できるだけではなく、反時計回り方向にも回転でき、前記第三モーターの左端には第三スクリュー軸が動力が伝達できるように連結され、前記第三スクリュー軸には第二ねじ山ブロックがねじ山によって連結され、前記第二ねじ山ブロックが前記円盤の頂端とスライドできるように連結され、前記第三モーターの前側の前記第一固定ブロックの片側端壁にはスライドガイドロッドが固定的に設置され、前記スライドガイドロッドの外周にはスライドブロックがスライドできるように設置され、前記スライドブロックと前記第二ねじ山ブロックとの間には連結ロッドが固定的に設置され、前記第二ねじ山ブロックと前記スライドガイドロッドの頂端にはいずれもコンロッドがヒンジで連結され、前記コンロッドが前記軸スリーブと固定的に連結されたことを特徴とする請求項３に記載の多機能ホワイトボード。
【請求項５】
前記台座の底端には三組の中心対称的に設置された支持ロッドが固定的に設置され、前記支持ロッドが支持の作用を果たし、前記円盤の左側には保存箱が取り付けられ、前記保存箱の中には収納チャンバが設置されたことを特徴とする請求項１に記載の多機能ホワイトボード。
【発明の詳細な説明】
【技術分野】
【０００１】
本発明は事務用品技術分野に関わり、具体的には多機能ホワイトボードである。
【背景技術】
【０００２】
目下、伝統的な事務室に使用されるホワイトボードの多数は機能が単一で、一か所に固定され、又は支持機構によって一か所に置かれ、使用しない時に空間を占用し、しかも毎度使用が完成した後に手で拭く必要があり、速やかに拭かないと、今度使用の時、ホワイトボードに書いた字を拭きにくくなる。
【先行技術文献】
【特許文献】
【０００３】
【特許文献１】中国特許出願公開第１０６１１４００５号明細書
【発明の概要】
【発明が解決しようとする課題】
【０００４】
本発明は多機能ホワイトボードを提供し、既存技術にある上記の欠点を解消することを目的とする。
【課題を解決するための手段】
【０００５】
本発明の実施例の多機能ホワイトボードは、円盤と台座とを含み、前記台座の頂端と前記円盤の底端との間には回転柱が回転できるように設置され、前記円盤の頂端には二組の前後対称的に設置されたスライド柱が設置され、二組の前記スライド柱の頂端にはいずれも曲がりロッドが固定的に設置され、前記曲がりロッドの頂部は環状であり、二組の前記曲がりロッドの間には固定ロッドが固定的に設置され、二組の前記スライド柱の中部のところには前後に伸びることができるように設置された支持軸が固定的に設置され、前記支持軸の外周には新聞を置くことができる回転盤機構が固定的に設置され、前記スライド柱の右側の前記円盤の頂部端面には第一固定ブロックが固定的に設置され、前記第一固定ブロックの頂部端面には抜き溝が設置され、前記抜き溝の左右両側はいずれも開口しており、前記抜き溝の頂部にはホワイトボード機構が設置され、前記円盤の中には動力チャンバが設置され、前記動力チャンバの中には前記回転盤機構の上昇と下降とを制御できる昇降機構が設置され、前記回転盤機構は前記支持軸の外周に回転できるように設置された二組の回転盤を含み、二組の前記回転盤が前後対称的に設置され、また二組の前記回転盤の間には六組のアルミニウムパイプが固定的に設置された。
【０００６】
さらなる技術プランとして、前記昇降機構は前記動力チャンバの中に回転できるように設置された動力軸を含み、前記動力軸の前側末端が前記動力チャンバの前側端壁の中に固定的に嵌められた第一モーターと動力が伝達できるように連結され、前記動力軸の外周には前後対称的に設置された二組の動力べベルギヤが固定的に設置され、二組の前記スライド柱の中にはいずれも第一スクリュー軸がねじ山によって連結され、前記第一スクリュー軸が上下に伸びることができるように設置され、前記第一スクリュー軸の頂部が前記スライド柱の頂端を貫通しており、且つ上方へ一部分伸びており、前記第一スクリュー軸が前記動力チャンバの頂壁と回転できるように連結され、前記第一スクリュー軸の底端にはいずれも前記動力チャンバの中に位置している従動べベルギヤが固定的に設置され、前記従動べベルギヤと前記動力べベルギヤとが噛み合うように設置された。
【０００７】
さらなる技術プランとして、前記ホワイトボード機構は前記抜き溝の前後端壁の間に回転できるように設置された横軸を含み、前記横軸の外周にはホワイトボードが固定的に設置され、前記ホワイトボードの右側端面には長固定板が固定的に設置され、前記長固定板には絵筆などの雑物を置くことができ、前記ホワイトボードの中にはスライドチャンバが設置され、前記ホワイトボードの頂端には第二固定ブロックが固定的に設置され、前記第二固定ブロックが前記スライドチャンバの頂部に位置しており、前記第二固定ブロックの中には第二モーターが固定的に嵌められ、前記第二モーターが時計回り方向に回転できるだけではなく、反時計回り方向に回転することもでき、前記第二モーターの底端には第二スクリュー軸が動力が伝達できるように連結され、前記第二スクリュー軸が下方へ前記スライドチャンバを貫通しており、且つ前記スライドチャンバの底壁と回転できるように連結され、前記スライドチャンバの中には第一ねじ山ブロックがスライドできるように設置され、前記第一ねじ山ブロックと前記第二スクリュー軸とがねじ山によって連結され、前記第一ねじ山ブロックの左右両側端面にはいずれも固定軸が固定的に設置され、前記固定軸の外周には湿布が包まれており、前記固定軸が前記ホワイトボードと当接している。
【０００８】
さらなる技術プランとして、前記ホワイトボードの前後両側端面にはいずれもヒンジピンが固定的に設置され、前記ヒンジピンの外周には軸スリーブが回転できるように設置され、前記第一固定ブロックの左側端面には第三モーターが固定的に設置され、前記第三モーターが時計回り方向に回転できるだけではなく、反時計回り方向にも回転でき、前記第三モーターの左端には第三スクリュー軸が動力が伝達できるように連結され、前記第三スクリュー軸には第二ねじ山ブロックがねじ山によって連結され、前記第二ねじ山ブロックが前記円盤の頂端とスライドできるように連結され、前記第三モーターの前側の前記第一固定ブロックの片側端壁にはスライドガイドロッドが固定的に設置され、前記スライドガイドロッドの外周にはスライドブロックがスライドできるように設置され、前記スライドブロックと前記第二ねじ山ブロックとの間には連結ロッドが固定的に設置され、前記第二ねじ山ブロックと前記スライドガイドロッドの頂端にはいずれもコンロッドがヒンジで連結され、前記コンロッドが前記軸スリーブと固定的に連結された。
【０００９】
さらなる技術プランとして、前記台座の底端には三組の中心対称的に設置された支持ロッドが固定的に設置され、前記支持ロッドが支持の作用を果たし、前記円盤の左側には保存箱が取り付けられ、前記保存箱の中には収納チャンバが設置された。
【発明の効果】
【００１０】
本発明の有益な効果は：本発明の多機能ホワイトボードは使用されない時に収納でき、空間を省き、同時に新聞を置ける回転盤機構を加えて設置されたため、本発明の機能がさらに多様的になり、実用性を増加し、そして使用が完成した後に自動的にホワイトボードを拭くことができ、普及に便利を与える。
【図面の簡単な説明】
【００１１】
下記に図１〜３をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１２】
【図１】図１は本発明の多機能ホワイトボードの内部全体構造略図
【図２】図２は本発明の中のホワイトボードの右側略図
【図３】図３は本発明の多機能ホワイトボードの左側方向の内部略図
【発明を実施するための形態】
【００１３】
図１〜３を参照し、本発明の実施例の多機能ホワイトボードは、円盤１０と台座１１とを含み、前記台座１１の頂端と前記円盤１０の底端との間には回転柱１５が回転できるように設置され、前記円盤１０の頂端には二組の前後対称的に設置されたスライド柱２９が設置され、二組の前記スライド柱２９の頂端にはいずれも曲がりロッド２２が固定的に設置され、前記曲がりロッド２２の頂部は環状であり、二組の前記曲がりロッド２２の間には固定ロッド４２が固定的に設置され、二組の前記スライド柱２９の中部のところには前後に伸びることができるように設置された支持軸２８が固定的に設置され、前記支持軸２８の外周には新聞２６を置くことができる回転盤機構７１が固定的に設置され、前記スライド柱２９の右側の前記円盤１０の頂部端面には第一固定ブロック１６が固定的に設置され、前記第一固定ブロック１６の頂部端面には抜き溝１７が設置され、前記抜き溝１７の左右両側はいずれも開口しており、前記抜き溝１７の頂部にはホワイトボード機構７３が設置され、前記円盤１０の中には動力チャンバ４１が設置され、前記動力チャンバ４１の中には前記回転盤機構７１の上昇と下降とを制御できる昇降機構７２が設置され、前記回転盤機構７１は前記支持軸２８の外周に回転できるように設置された二組の回転盤２４を含み、二組の前記回転盤２４が前後対称的に設置され、また二組の前記回転盤２４の間には六組のアルミニウムパイプ２５が固定的に設置され、前記アルミニウムパイプ２５には新聞２６を重ねて置くことができる。
【００１４】
前記昇降機構７２は前記動力チャンバ４１の中に回転できるように設置された動力軸５０を含み、前記動力軸５０の前側末端が前記動力チャンバ４１の前側端壁の中に固定的に嵌められた第一モーター３７と動力が伝達できるように連結され、前記動力軸５０の外周には前後対称的に設置された二組の動力べベルギヤ４０が固定的に設置され、二組の前記スライド柱２９の中にはいずれも第一スクリュー軸２３がねじ山によって連結され、前記第一スクリュー軸２３が上下に伸びることができるように設置され、前記第一スクリュー軸２３の頂部が前記スライド柱２９の頂端を貫通しており、且つ上方へ一部分伸びており、前記第一スクリュー軸２３が前記動力チャンバ４１の頂壁と回転できるように連結され、前記第一スクリュー軸２３の底端にはいずれも前記動力チャンバ４１の中に位置している従動べベルギヤ３９が固定的に設置され、前記従動べベルギヤ３９と前記動力べベルギヤ４０とが噛み合うように設置され、前記第一モーター３７を制御して作動させることによって、前記動力軸５０を回転させ、前記動力べベルギヤ４０が前記従動べベルギヤ３９を回転連動させ、それによって前記第一スクリュー軸２３を回転させ、それによって前記スライド柱２９を上方へ移動させ、それによって前記回転盤機構７１の上昇を実現する。
【００１５】
前記ホワイトボード機構７３は前記抜き溝１７の前後端壁の間に回転できるように設置された横軸３３を含み、前記横軸３３の外周にはホワイトボード１９が固定的に設置され、前記ホワイトボード１９の右側端面には長固定板１８が固定的に設置され、前記長固定板１８には絵筆などの雑物を置くことができ、前記ホワイトボード１９の中にはスライドチャンバ３４が設置され、前記ホワイトボード１９の頂端には第二固定ブロック２０が固定的に設置され、前記第二固定ブロック２０が前記スライドチャンバ３４の頂部に位置しており、前記第二固定ブロック２０の中には第二モーター２１が固定的に嵌められ、前記第二モーター２１が時計回り方向に回転できるだけではなく、反時計回り方向に回転することもでき、前記第二モーター２１の底端には第二スクリュー軸３５が動力が伝達できるように連結され、前記第二スクリュー軸３５が下方へ前記スライドチャンバ３４を貫通しており、且つ前記スライドチャンバ３４の底壁と回転できるように連結され、前記スライドチャンバ３４の中には第一ねじ山ブロック３２がスライドできるように設置され、前記第一ねじ山ブロック３２と前記第二スクリュー軸３５とがねじ山によって連結され、前記第一ねじ山ブロック３２の左右両側端面にはいずれも固定軸５３が固定的に設置され、前記固定軸５３の外周には湿布５９が包まれており、前記固定軸５３が前記ホワイトボード１９と当接しており、前記第二モーター２１を制御して作動させることによって、前記第二スクリュー軸３５を回転させ、それによって第一ねじ山ブロック３２を上下にスライドさせ、それによって前記固定軸５３を前記ホワイトボード１９でスライドさせて摩擦し、前記ホワイトボード１９に書いた字がきれいに拭き取られる。
【００１６】
前記ホワイトボード１９の前後両側端面にはいずれもヒンジピン３０が固定的に設置され、前記ヒンジピン３０の外周には軸スリーブ５６が回転できるように設置され、前記第一固定ブロック１６の左側端面には第三モーター４８が固定的に設置され、前記第三モーター４８が時計回り方向に回転できるだけではなく、反時計回り方向にも回転でき、前記第三モーター４８の左端には第三スクリュー軸４６が動力が伝達できるように連結され、前記第三スクリュー軸４６には第二ねじ山ブロック４３がねじ山によって連結され、前記第二ねじ山ブロック４３が前記円盤１０の頂端とスライドできるように連結され、前記第三モーター４８の前側の前記第一固定ブロック１６の片側端壁にはスライドガイドロッド４７が固定的に設置され、前記スライドガイドロッド４７の外周にはスライドブロック５７がスライドできるように設置され、前記スライドブロック５７と前記第二ねじ山ブロック４３との間には連結ロッド４４が固定的に設置され、前記第二ねじ山ブロック４３と前記スライドガイドロッド４７の頂端にはいずれもコンロッド３１がヒンジで連結され、前記コンロッド３１が前記軸スリーブ５６と固定的に連結され、前記第三モーター４８を制御して作動させることによって、前記第三スクリュー軸４６を回転させ、前記第三スクリュー軸４６が前記第二ねじ山ブロック４３を左右にスライド連動させ、それによって前記コンロッド３１が前記ホワイトボード１９を連動させて揺れ動かせ、前記ホワイトボード１９を使用しない時、前記ホワイトボード１９を前記円盤１０の底端に平らに置くことができる。
【００１７】
前記台座１１の底端には三組の中心対称的に設置された支持ロッド１２が固定的に設置され、前記支持ロッド１２が支持の作用を果たし、前記円盤１０の左側には保存箱１３が取り付けられ、前記保存箱１３の中には収納チャンバ１４が設置され、前記収納チャンバ１４の中には本を置くことができる。
【００１８】
使用の時、第一モーター３７を制御して作動させることによって、動力軸５０を回転させ、それによって動力べベルギヤ４０が従動べベルギヤ３９を回転連動させ、それによって第一スクリュー軸２３を回転させ、それによってスライド柱２９を上方へ移動させ、それによって回転盤機構７１の上昇を実現し、回転盤２４に円盤１０を離れさせ、第二モーター２１が一番高いところまで上昇した時、第三モーター４８を制御して作動させることによって、第三スクリュー軸４６を回転させ、第三スクリュー軸４６が第二ねじ山ブロック４３３を右方へスライド連動させ、それによってコンロッド３１がホワイトボード１９を連動させて揺れ動かせ、それによってホワイトボード１９を上方へ揺れ動かせて鉛直の位置にさせ、それによってホワイトボード１９を使用でき、ホワイトボード１９を使用し終わった後、第二モーター２１を制御して作動させることによって、第二スクリュー軸３５を回転させ、それによって第一ねじ山ブロック３２を上下にスライドさせ、それによって固定軸５３をホワイトボード１９でスライドさせて摩擦し、ホワイトボード１９に書いた字をきれいに拭き取り、ホワイトボード１９を使用しない時、第三モーター４８を制御して反時計回り方向に回転させることによって、第二ねじ山ブロック４３に第一固定ブロック１６を離れさせ、それによってホワイトボード１９を円盤１０の底端に平らに置き、収納が完成する。
【００１９】
本発明の有益な効果は：本発明の多機能ホワイトボードは使用されない時に収納でき、空間を省き、同時に新聞を置ける回転盤機構を加えて設置されたため、本発明の機能がさらに多様的になり、実用性を増加し、そして使用が完成した後に自動的にホワイトボードを拭くことができ、普及に便利を与える。
【００２０】
当業者は明確できることは、本出願の総体精神及び構想から離脱しない限り、上記実施例に各種の変型を行うことができる。それらの変型はいずれも本出願の保護範囲中にカバーすべきである。本出願の保護方案は本出願に添付した特許の請求の範囲を基準とするべきである。
【図１】
2020183097.tif 000003
【図２】
2020183097.tif 000004
【図３】
2020183097.tif 000005
【手続補正書】
【提出日】令和1年12月27日(2019.12.27)
【手続補正１】
【補正対象書類名】特許請求の範囲
【補正対象項目名】全文
【補正方法】変更
【補正の内容】
【特許請求の範囲】
【請求項１】
正面視で、円盤と台座とを含み、前記台座の頂端と前記円盤の底端との間には回転柱が回転できるように設置され、前記円盤の頂端には一組の前後対称的に設置されたスライド柱が設置され、一組の前記スライド柱の頂端にはいずれも曲がりロッドが固定的に設置され、前記曲がりロッドの頂部は環状であり、一組の前記曲がりロッドの間には固定ロッドが固定的に設置され、一組の前記スライド柱の中部のところには前後に伸びることができるように設置された支持軸が固定的に設置され、前記支持軸の外周には新聞を置くことができる回転盤機構が固定的に設置され、前記スライド柱の右側の前記円盤の頂部端面には第一固定ブロックが固定的に設置され、前記第一固定ブロックの頂部端面には抜き溝が設置され、前記抜き溝の左右両側はいずれも開口しており、前記抜き溝の頂部にはホワイトボード機構が設置され、前記円盤の中には動力チャンバが設置され、前記動力チャンバの中には前記回転盤機構の上昇と下降とを制御できる昇降機構が設置され、前記回転盤機構は前記支持軸の外周に回転できるように設置された一組の回転盤を含み、一組の前記回転盤が前後対称的に設置され、また一組の前記回転盤の間には六本のアルミニウムパイプが固定的に設置されたことを特徴とする多機能ホワイトボード。
【請求項２】
前記昇降機構は前記動力チャンバの中に回転できるように設置された動力軸を含み、前記動力軸の前側末端が前記動力チャンバの前側端壁の中に固定的に嵌められた第一モーターと動力が伝達できるように連結され、前記動力軸の外周には前後対称的に設置された一組の動力べベルギヤが固定的に設置され、一組の前記スライド柱の中にはいずれも第一スクリュー軸がねじ山によって連結され、前記第一スクリュー軸が上下に伸びることができるように設置され、前記第一スクリュー軸の頂部が前記スライド柱の頂端を貫通しており、且つ上方へ一部分伸びており、前記第一スクリュー軸が前記動力チャンバの頂壁と回転できるように連結され、前記第一スクリュー軸の底端にはいずれも前記動力チャンバの中に位置している従動べベルギヤが固定的に設置され、前記従動べベルギヤと前記動力べベルギヤとが噛み合うように設置されたことを特徴とする請求項１に記載の多機能ホワイトボード。
【請求項３】
前記ホワイトボード機構は前記抜き溝の前後端壁の間に回転できるように設置された横軸を含み、前記横軸の外周にはホワイトボードが固定的に設置され、前記ホワイトボードの右側端面には長固定板が固定的に設置され、前記長固定板には絵筆などの雑物を置くことができ、前記ホワイトボードの中にはスライドチャンバが設置され、前記ホワイトボードの頂端には第二固定ブロックが固定的に設置され、前記第二固定ブロックが前記スライドチャンバの頂部に位置しており、前記第二固定ブロックの中には第二モーターが固定的に嵌められ、前記第二モーターが時計回り方向に回転できるだけではなく、反時計回り方向に回転することもでき、前記第二モーターの底端には第二スクリュー軸が動力が伝達できるように連結され、前記第二スクリュー軸が下方へ前記スライドチャンバを貫通しており、且つ前記スライドチャンバの底壁と回転できるように連結され、前記スライドチャンバの中には第一ねじ山ブロックがスライドできるように設置され、前記第一ねじ山ブロックと前記第二スクリュー軸とがねじ山によって連結され、前記第一ねじ山ブロックの左右両側端面にはいずれも固定軸が固定的に設置され、前記固定軸の外周には湿布が包まれており、前記固定軸が前記ホワイトボードと当接していることを特徴とする請求項１に記載の多機能ホワイトボード。
【請求項４】
前記ホワイトボードの前後両側端面にはいずれもヒンジピンが固定的に設置され、前記ヒンジピンの外周には軸スリーブが回転できるように設置され、前記第一固定ブロックの左側端面には第三モーターが固定的に設置され、前記第三モーターが時計回り方向に回転できるだけではなく、反時計回り方向にも回転でき、前記第三モーターの左端には第三スクリュー軸が動力が伝達できるように連結され、前記第三スクリュー軸には第二ねじ山ブロックがねじ山によって連結され、前記第二ねじ山ブロックが前記円盤の頂端とスライドできるように連結され、前記第三モーターの前側の前記第一固定ブロックの片側端壁にはスライドガイドロッドが固定的に設置され、前記スライドガイドロッドの外周にはスライドブロックがスライドできるように設置され、前記スライドブロックと前記第二ねじ山ブロックとの間には連結ロッドが固定的に設置され、前記第二ねじ山ブロックと前記スライドガイドロッドの頂端にはいずれもコンロッドがヒンジで連結され、前記コンロッドが前記軸スリーブと固定的に連結されたことを特徴とする請求項３に記載の多機能ホワイトボード。
【請求項５】
前記台座の底端には三組の中心対称的に設置された支持ロッドが固定的に設置され、前記支持ロッドが支持の作用を果たし、前記円盤の左側には保存箱が取り付けられ、前記保存箱の中には収納チャンバが設置されたことを特徴とする請求項１に記載の多機能ホワイトボード。
【手続補正２】
【補正対象書類名】明細書
【補正対象項目名】全文
【補正方法】変更
【補正の内容】
【発明の詳細な説明】
【技術分野】
【０００１】
本発明は事務用品技術分野に関わり、具体的には多機能ホワイトボードである。
【背景技術】
【０００２】
目下、伝統的な事務室に使用されるホワイトボードの多数は機能が単一で、一か所に固定され、又は支持機構によって一か所に置かれ、使用しない時に空間を占用し、しかも毎度使用が完成した後に手で拭く必要があり、速やかに拭かないと、今度使用の時、ホワイトボードに書いた字を拭きにくくなる。
【先行技術文献】
【特許文献】
【０００３】
【特許文献１】中国特許出願公開第１０６１１４００５号明細書
【発明の概要】
【発明が解決しようとする課題】
【０００４】
本発明は多機能ホワイトボードを提供し、既存技術にある上記の欠点を解消することを目的とする。
【課題を解決するための手段】
【０００５】
本発明の実施例の多機能ホワイトボードは、円盤と台座とを含み、前記台座の頂端と前記円盤の底端との間には回転柱が回転できるように設置され、前記円盤の頂端には一組の前後対称的に設置されたスライド柱が設置され、一組の前記スライド柱の頂端にはいずれも曲がりロッドが固定的に設置され、前記曲がりロッドの頂部は環状であり、一組の前記曲がりロッドの間には固定ロッドが固定的に設置され、一組の前記スライド柱の中部のところには前後に伸びることができるように設置された支持軸が固定的に設置され、前記支持軸の外周には新聞を置くことができる回転盤機構が固定的に設置され、前記スライド柱の右側の前記円盤の頂部端面には第一固定ブロックが固定的に設置され、前記第一固定ブロックの頂部端面には抜き溝が設置され、前記抜き溝の左右両側はいずれも開口しており、前記抜き溝の頂部にはホワイトボード機構が設置され、前記円盤の中には動力チャンバが設置され、前記動力チャンバの中には前記回転盤機構の上昇と下降とを制御できる昇降機構が設置され、前記回転盤機構は前記支持軸の外周に回転できるように設置された一組の回転盤を含み、一組の前記回転盤が前後対称的に設置され、また一組の前記回転盤の間には六本のアルミニウムパイプが固定的に設置された。
【０００６】
さらなる技術プランとして、前記昇降機構は前記動力チャンバの中に回転できるように設置された動力軸を含み、前記動力軸の前側末端が前記動力チャンバの前側端壁の中に固定的に嵌められた第一モーターと動力が伝達できるように連結され、前記動力軸の外周には前後対称的に設置された一組の動力べベルギヤが固定的に設置され、一組の前記スライド柱の中にはいずれも第一スクリュー軸がねじ山によって連結され、前記第一スクリュー軸が上下に伸びることができるように設置され、前記第一スクリュー軸の頂部が前記スライド柱の頂端を貫通しており、且つ上方へ一部分伸びており、前記第一スクリュー軸が前記動力チャンバの頂壁と回転できるように連結され、前記第一スクリュー軸の底端にはいずれも前記動力チャンバの中に位置している従動べベルギヤが固定的に設置され、前記従動べベルギヤと前記動力べベルギヤとが噛み合うように設置された。
【０００７】
さらなる技術プランとして、前記ホワイトボード機構は前記抜き溝の前後端壁の間に回転できるように設置された横軸を含み、前記横軸の外周にはホワイトボードが固定的に設置され、前記ホワイトボードの右側端面には長固定板が固定的に設置され、前記長固定板には絵筆などの雑物を置くことができ、前記ホワイトボードの中にはスライドチャンバが設置され、前記ホワイトボードの頂端には第二固定ブロックが固定的に設置され、前記第二固定ブロックが前記スライドチャンバの頂部に位置しており、前記第二固定ブロックの中には第二モーターが固定的に嵌められ、前記第二モーターが時計回り方向に回転できるだけではなく、反時計回り方向に回転することもでき、前記第二モーターの底端には第二スクリュー軸が動力が伝達できるように連結され、前記第二スクリュー軸が下方へ前記スライドチャンバを貫通しており、且つ前記スライドチャンバの底壁と回転できるように連結され、前記スライドチャンバの中には第一ねじ山ブロックがスライドできるように設置され、前記第一ねじ山ブロックと前記第二スクリュー軸とがねじ山によって連結され、前記第一ねじ山ブロックの左右両側端面にはいずれも固定軸が固定的に設置され、前記固定軸の外周には湿布が包まれており、前記固定軸が前記ホワイトボードと当接している。
【０００８】
さらなる技術プランとして、前記ホワイトボードの前後両側端面にはいずれもヒンジピンが固定的に設置され、前記ヒンジピンの外周には軸スリーブが回転できるように設置され、前記第一固定ブロックの左側端面には第三モーターが固定的に設置され、前記第三モーターが時計回り方向に回転できるだけではなく、反時計回り方向にも回転でき、前記第三モーターの左端には第三スクリュー軸が動力が伝達できるように連結され、前記第三スクリュー軸には第二ねじ山ブロックがねじ山によって連結され、前記第二ねじ山ブロックが前記円盤の頂端とスライドできるように連結され、前記第三モーターの前側の前記第一固定ブロックの片側端壁にはスライドガイドロッドが固定的に設置され、前記スライドガイドロッドの外周にはスライドブロックがスライドできるように設置され、前記スライドブロックと前記第二ねじ山ブロックとの間には連結ロッドが固定的に設置され、前記第二ねじ山ブロックと前記スライドガイドロッドの頂端にはいずれもコンロッドがヒンジで連結され、前記コンロッドが前記軸スリーブと固定的に連結された。
【０００９】
さらなる技術プランとして、前記台座の底端には三組の中心対称的に設置された支持ロッドが固定的に設置され、前記支持ロッドが支持の作用を果たし、前記円盤の左側には保存箱が取り付けられ、前記保存箱の中には収納チャンバが設置された。
【発明の効果】
【００１０】
本発明の有益な効果は：本発明の多機能ホワイトボードは使用されない時に収納でき、空間を省き、同時に新聞を置ける回転盤機構を加えて設置されたため、本発明の機能がさらに多様的になり、実用性を増加し、そして使用が完成した後に自動的にホワイトボードを拭くことができ、普及に便利を与える。
【図面の簡単な説明】
【００１１】
下記に図１〜３をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１２】
【図１】図１は本発明の多機能ホワイトボードの内部全体構造略図
【図２】図２は本発明の中のホワイトボードの右側略図
【図３】図３は本発明の多機能ホワイトボードの左側方向の内部略図
【発明を実施するための形態】
【００１３】
図１〜３を参照し、本発明の実施例の多機能ホワイトボードは、円盤１０と台座１１とを含み、前記台座１１の頂端と前記円盤１０の底端との間には回転柱１５が回転できるように設置され、前記円盤１０の頂端には一組の前後対称的に設置されたスライド柱２９が設置され、一組の前記スライド柱２９の頂端にはいずれも曲がりロッド２２が固定的に設置され、前記曲がりロッド２２の頂部は環状であり、一組の前記曲がりロッド２２の間には固定ロッド４２が固定的に設置され、一組の前記スライド柱２９の中部のところには前後に伸びることができるように設置された支持軸２８が固定的に設置され、前記支持軸２８の外周には新聞２６を置くことができる回転盤機構７１が固定的に設置され、前記スライド柱２９の右側の前記円盤１０の頂部端面には第一固定ブロック１６が固定的に設置され、前記第一固定ブロック１６の頂部端面には抜き溝１７が設置され、前記抜き溝１７の左右両側はいずれも開口しており、前記抜き溝１７の頂部にはホワイトボード機構７３が設置され、前記円盤１０の中には動力チャンバ４１が設置され、前記動力チャンバ４１の中には前記回転盤機構７１の上昇と下降とを制御できる昇降機構７２が設置され、前記回転盤機構７１は前記支持軸２８の外周に回転できるように設置された一組の回転盤２４を含み、一組の前記回転盤２４が前後対称的に設置され、また一組の前記回転盤２４の間には六本のアルミニウムパイプ２５が固定的に設置され、前記アルミニウムパイプ２５には新聞２６を重ねて置くことができる。
【００１４】
前記昇降機構７２は前記動力チャンバ４１の中に回転できるように設置された動力軸５０を含み、前記動力軸５０の前側末端が前記動力チャンバ４１の前側端壁の中に固定的に嵌められた第一モーター３７と動力が伝達できるように連結され、前記動力軸５０の外周には前後対称的に設置された一組の動力べベルギヤ４０が固定的に設置され、一組の前記スライド柱２９の中にはいずれも第一スクリュー軸２３がねじ山によって連結され、前記第一スクリュー軸２３が上下に伸びることができるように設置され、前記第一スクリュー軸２３の頂部が前記スライド柱２９の頂端を貫通しており、且つ上方へ一部分伸びており、前記第一スクリュー軸２３が前記動力チャンバ４１の頂壁と回転できるように連結され、前記第一スクリュー軸２３の底端にはいずれも前記動力チャンバ４１の中に位置している従動べベルギヤ３９が固定的に設置され、前記従動べベルギヤ３９と前記動力べベルギヤ４０とが噛み合うように設置され、前記第一モーター３７を制御して作動させることによって、前記動力軸５０を回転させ、前記動力べベルギヤ４０が前記従動べベルギヤ３９を回転連動させ、それによって前記第一スクリュー軸２３を回転させ、それによって前記スライド柱２９を上方へ移動させ、それによって前記回転盤機構７１の上昇を実現する。
【００１５】
前記ホワイトボード機構７３は前記抜き溝１７の前後端壁の間に回転できるように設置された横軸３３を含み、前記横軸３３の外周にはホワイトボード１９が固定的に設置され、前記ホワイトボード１９の右側端面には長固定板１８が固定的に設置され、前記長固定板１８には絵筆などの雑物を置くことができ、前記ホワイトボード１９の中にはスライドチャンバ３４が設置され、前記ホワイトボード１９の頂端には第二固定ブロック２０が固定的に設置され、前記第二固定ブロック２０が前記スライドチャンバ３４の頂部に位置しており、前記第二固定ブロック２０の中には第二モーター２１が固定的に嵌められ、前記第二モーター２１が時計回り方向に回転できるだけではなく、反時計回り方向に回転することもでき、前記第二モーター２１の底端には第二スクリュー軸３５が動力が伝達できるように連結され、前記第二スクリュー軸３５が下方へ前記スライドチャンバ３４を貫通しており、且つ前記スライドチャンバ３４の底壁と回転できるように連結され、前記スライドチャンバ３４の中には第一ねじ山ブロック３２がスライドできるように設置され、前記第一ねじ山ブロック３２と前記第二スクリュー軸３５とがねじ山によって連結され、前記第一ねじ山ブロック３２の左右両側端面にはいずれも固定軸５３が固定的に設置され、前記固定軸５３の外周には湿布５９が包まれており、前記固定軸５３が前記ホワイトボード１９と当接しており、前記第二モーター２１を制御して作動させることによって、前記第二スクリュー軸３５を回転させ、それによって第一ねじ山ブロック３２を上下にスライドさせ、それによって前記固定軸５３を前記ホワイトボード１９でスライドさせて摩擦し、前記ホワイトボード１９に書いた字がきれいに拭き取られる。
【００１６】
前記ホワイトボード１９の前後両側端面にはいずれもヒンジピン３０が固定的に設置され、前記ヒンジピン３０の外周には軸スリーブ５６が回転できるように設置され、前記第一固定ブロック１６の左側端面には第三モーター４８が固定的に設置され、前記第三モーター４８が時計回り方向に回転できるだけではなく、反時計回り方向にも回転でき、前記第三モーター４８の左端には第三スクリュー軸４６が動力が伝達できるように連結され、前記第三スクリュー軸４６には第二ねじ山ブロック４３がねじ山によって連結され、前記第二ねじ山ブロック４３が前記円盤１０の頂端とスライドできるように連結され、前記第三モーター４８の前側の前記第一固定ブロック１６の片側端壁にはスライドガイドロッド４７が固定的に設置され、前記スライドガイドロッド４７の外周にはスライドブロック５７がスライドできるように設置され、前記スライドブロック５７と前記第二ねじ山ブロック４３との間には連結ロッド４４が固定的に設置され、前記第二ねじ山ブロック４３と前記スライドガイドロッド４７の頂端にはいずれもコンロッド３１がヒンジで連結され、前記コンロッド３１が前記軸スリーブ５６と固定的に連結され、前記第三モーター４８を制御して作動させることによって、前記第三スクリュー軸４６を回転させ、前記第三スクリュー軸４６が前記第二ねじ山ブロック４３を左右にスライド連動させ、それによって前記コンロッド３１が前記ホワイトボード１９を連動させて揺れ動かせ、前記ホワイトボード１９を使用しない時、前記ホワイトボード１９を前記円盤１０の底端に平らに置くことができる。
【００１７】
前記台座１１の底端には三組の中心対称的に設置された支持ロッド１２が固定的に設置され、前記支持ロッド１２が支持の作用を果たし、前記円盤１０の左側には保存箱１３が取り付けられ、前記保存箱１３の中には収納チャンバ１４が設置され、前記収納チャンバ１４の中には本を置くことができる。
【００１８】
使用の時、第一モーター３７を制御して作動させることによって、動力軸５０を回転させ、それによって動力べベルギヤ４０が従動べベルギヤ３９を回転連動させ、それによって第一スクリュー軸２３を回転させ、それによってスライド柱２９を上方へ移動させ、それによって回転盤機構７１の上昇を実現し、回転盤２４に円盤１０を離れさせ、第二モーター２１が一番高いところまで上昇した時、第三モーター４８を制御して作動させることによって、第三スクリュー軸４６を回転させ、第三スクリュー軸４６が第二ねじ山ブロック４３３を右方へスライド連動させ、それによってコンロッド３１がホワイトボード１９を連動させて揺れ動かせ、それによってホワイトボード１９を上方へ揺れ動かせて鉛直の位置にさせ、それによってホワイトボード１９を使用でき、ホワイトボード１９を使用し終わった後、第二モーター２１を制御して作動させることによって、第二スクリュー軸３５を回転させ、それによって第一ねじ山ブロック３２を上下にスライドさせ、それによって固定軸５３をホワイトボード１９でスライドさせて摩擦し、ホワイトボード１９に書いた字をきれいに拭き取り、ホワイトボード１９を使用しない時、第三モーター４８を制御して反時計回り方向に回転させることによって、第二ねじ山ブロック４３に第一固定ブロック１６を離れさせ、それによってホワイトボード１９を円盤１０の底端に平らに置き、収納が完成する。
【００１９】
本発明の有益な効果は：本発明の多機能ホワイトボードは使用されない時に収納でき、空間を省き、同時に新聞を置ける回転盤機構を加えて設置されたため、本発明の機能がさらに多様的になり、実用性を増加し、そして使用が完成した後に自動的にホワイトボードを拭くことができ、普及に便利を与える。
【００２０】
当業者は明確できることは、本出願の総体精神及び構想から離脱しない限り、上記実施例に各種の変型を行うことができる。それらの変型はいずれも本出願の保護範囲中にカバーすべきである。本出願の保護方案は本出願に添付した特許の請求の範囲を基準とするべきである。